(57)【要約】【課題】内部空間を大型化するとともに新たな温度調節装置を備えた岩風呂装置を提供する。【解決手段】筒状の壁部２０とその上部に一体に連接されたドーム状の天井部３０とが天然石材４１によって石壁室４０として構成され、前記石壁室４０の底面部４６には前記天井部３０に向けて加熱ガスＧを放射するガスバーナー５０が配置されているとともに、前記石壁室４０には一又は高さ方向に複数のミスト散布ノズル６０Ａないし６０Ｃが設置されている。【選択図】図１
2006110236.tif 000002
【特許請求の範囲】
【請求項１】
筒状の壁部とその上部に一体に連接されたドーム状の天井部とが天然石材によって石壁室として構成され、
前記石壁室の底面部には前記天井部に向けて加熱ガスを放射するガスバーナーが配置されているとともに、
前記石壁室には一又は高さ方向に複数のミスト散布ノズルが設置されていることを特徴とする岩風呂装置。
【請求項２】
前記石壁室の底面部に該底面部を冷却する冷却媒体の配管が敷設されている請求項１に記載の岩風呂装置。
【請求項３】
前記石壁室の底面部の下部に形成された伝熱室の底面部に該底面部を加熱する加熱媒体の配管が敷設されている請求項１又は２に記載の岩風呂装置。
【請求項４】
前記加熱媒体の配管が、前記石壁室の底面部の冷却媒体の配管と循環配置されている請求項３に記載の岩風呂装置。
【発明の詳細な説明】
【技術分野】
【０００１】
この発明は岩風呂装置に関する。
【背景技術】
【０００２】
例えば、内部空間の底面に黄土層を敷設し、遠赤外線を放射する天然石材と黄土等を使用して内壁を構築した岩風呂装置が知られている（特許文献１参照。）。この岩風呂装置は、蓄熱や遠赤外線の放出作用に優れ、遠赤外線が人体の細胞の活力を促進して人体の自然治癒効果を増進させるものである。
【０００３】
しかるに、この岩風呂装置は、蓄熱性に優れた天然石材を使用して内壁を構築しているが、大型化するにしたがって内部空間の温度を一定に保つことが容易ではなくなる。
【０００４】
また、大型化した内部空間の温度を一定に保つためには、新たに温度調節装置を設けることが必要となる。
【特許文献１】特許第３０１３３２５号明細書
【発明の開示】
【発明が解決しようとする課題】
【０００５】
この発明は、このような状況に鑑み提案されたものであって、内部空間を大型化するとともに新たな温度調節装置を備えた岩風呂装置を提供することを目的とする。
【課題を解決するための手段】
【０００６】
すなわち、請求項１の発明は、筒状の壁部とその上部に一体に連接されたドーム状の天井部とが天然石材によって石壁室として構成され、前記石壁室の底面部には前記天井部に向けて加熱ガスを放射するガスバーナーが配置されているとともに、前記石壁室には一又は高さ方向に複数のミスト散布ノズルが設置されていることを特徴とする岩風呂装置に係る。
【０００７】
請求項２の発明は、請求項１において、前記石壁室の底面部に該底面部を冷却する冷却媒体の配管が敷設されている岩風呂装置に係る。
【０００８】
請求項３の発明は、請求項１又は２において、前記石壁室の底面部の下部に形成された伝熱室の底面部に該底面部を加熱する加熱媒体の配管が敷設されている岩風呂装置に係る。
【０００９】
請求項４の発明は、請求項３において、前記加熱媒体の配管が、前記石壁室の底面部の冷却媒体の配管と循環配置されている岩風呂装置に係る。
【発明の効果】
【００１０】
請求項１の発明に係る岩風呂装置によれば、筒状の壁部とその上部に一体に連接されたドーム状の天井部とが天然石材によって石壁室として構成され、前記石壁室の底面部には前記天井部に向けて加熱ガスを放射するガスバーナーが配置されているとともに、前記石壁室には一又は高さ方向に複数のミスト散布ノズルが設置されていることより、内部空間を大型化するとともに新たな温度調節装置を備えた岩風呂装置とすることができる。
【００１１】
請求項２に係る発明よれば、請求項１において、前記石壁室の底面部に該底面部を冷却する冷却媒体の配管が敷設されていることより、前記底面部の温度を人が歩くことができる程度にまで低下させることができる。
【００１２】
請求項３に係る発明によれば、請求項１又は２において、前記石壁室の底面部の下部に形成された伝熱室の底面部に該底面部を加熱する加熱媒体の配管が敷設されていることより、底面部を岩盤浴に最適な温度に保つことができる。
【００１３】
請求項４に係る発明によれば、請求項３において、前記加熱媒体の配管が、前記石壁室の底面部の冷却媒体の配管と循環配置されていることより、加熱媒体と冷却媒体を循環させて効果的な温度調節を行うことができる。
【発明を実施するための最良の形態】
【００１４】
以下添付の図面に従ってこの発明を詳細に説明する。図１はこの発明の一実施例に係る岩風呂装置の概略縦断面図、図２はドーム状の天井部の部分拡大断面図、図３は同岩風呂装置の石壁室への蒸気供給回路の主要構成図、図４は同岩風呂装置の石壁室の概略横断面図、図５は同岩風呂装置の伝熱室の概略横断面図、図６は伝熱室の底面部を加熱する加熱媒体の配管敷設図、図７は冷却媒体及び加熱媒体の循環系統説明図である。
【００１５】
石風呂装置１０は、図１に図示し請求項１の発明として規定したように、筒状の壁部２０とドーム状の天井部３０とによって構成される。
【００１６】
筒状の壁部２０は、コンクリートで構築されて地面に固定される。ここでは、筒状の壁部２０は、直径を８．５ｍ、高さを約４．７ｍ、厚さを０．２ｍとした。
【００１７】
ドーム状の天井部３０は天然石材４１によって石壁室４０を構成する。ここでは、天然石材４１をブロック状の安山岩とした。天然石材４１は、蓄熱性に優れるとともに遠赤外線を放出する。この天然石材４１は、図示するように、ドーム状となるように複数積み重ねられる。複数の天然石材４１は、コンクリートを石壁室４０の外側から流し込むことを順次繰り返しながら積み重ねられる。コンクリートを順次流し込むことによりコンクリート側壁４３が構築される。ドーム状の天井部３０は、このコンクリート側壁４３を断熱材４４で覆い、コンクリート外壁４５を施工して完成する。このドーム状の天井部３０は、高さを１１．１ｍとした。
【００１８】
図２は、ドーム状の天井部３０の一部を拡大して示す断面図である。天然石材４１は、図示するように、ボルト４２によってコンクリート外壁４５と連結される。ボルト４２は、天然石材４１の動きに追従させることができる。この天然石材４１は、縦４００ｍｍ、横７００〜１０００ｍｍ、厚み１５０〜３５０ｍｍのものを用いた。
【００１９】
断熱材４４は、石壁室４０の温度が上昇して熱がコンクリート外壁４５に伝わることを防ぐ。これによって、コンクリート外壁４５の温度が、耐熱温度を超えないようにすることができる。この実施例の断熱材４４は、公知のロックウール断熱材によって形成した。外壁４５は、図示するように、カルチャーストーン４５Ａを貼るようにしてもよい。
【００２０】
石壁室４０は、図示するように、その底面部４６にガスバーナー５０が配置される。このガスバーナー５０は、天井部３０に向けて加熱ガスＧを放射する。ここでは、ガスバーナー５０が底面部４６に２台配置される。実施例のガスバーナー５０の出力は５００，０００ｋｃａｌ／ｈである。底面部４６はカラーコンクリートによって構成される。石壁室４０の温度は、ガスバーナー５０によって上昇する。底面部４６は高温に保持される。この底面部４６は、タオルケット（木綿製又は麻製）が厚さを約１０ｍｍとするように敷かれる。
【００２１】
石壁室４０は、一又は高さ方向に複数のミスト散布ノズルが配置される。ここでは、図示するように、３本の蒸気散布ノズル６０Ａないし６０Ｃが配置される。この蒸気散布ノズル６０Ａないし６０Ｃは、石壁部４０の高さ方向の上方部、中間部、下方部に位置するようにそれぞれ配置される。
【００２２】
各蒸気散布ノズルは、図３に図示するように、それぞれ蒸気供給配管６１ないし６３によって公知の蒸気発生装置６５と接続される。蒸気発生装置６５は、電磁弁Ｖ１を介して蒸気を各蒸気供給配管６１ないし６３に排出する。この電磁弁Ｖ１は、石壁室４０に設置した温度センサＳの検出温度によって開閉が制御される。ここでは、温度センサＳが、石壁室４０の底面部４６からの高さが約２ｍの位置に設置される。石壁室４０の温度は、電磁弁Ｖ１の開閉制御によって各蒸気散布ノズル６０Ａないし６０Ｃから供給される蒸気量を調節し７０℃〜１００℃に保たれる。符号Ｖ２ないしＶ４は手動バルブである。
【００２３】
ミスト散布ノズルは、蒸気を散布するものに限らず、公知の霧発生装置と接続して霧状の水を散布するものでもよい。霧状の水は、ノズルによって散布されて石壁室４０の湿度を高める。これによって、石壁室４０内の体感温度を高めることができる。また、ミスト散布ノズルは、上記実施例の如く石壁室４０に３本配置するものに限らず、適宜に変更して石壁室４０に配置することができる。
【００２４】
石壁室４０は、図１及び図４に図示し請求項２の発明として規定したように、底面部４６を冷却する冷却媒体の配管７０が敷設されている。ここでは、冷却媒体の配管７０を、図示するように、間隔が１００ｍｍとなるように蛇行して敷設する。この配管７０は、複数系統（ここではＡ系統とＢ系統）敷設される。底面部４６の温度は、冷却水が配管７０Ａ，７０Ｂを流通して循環することによって人が歩くことができる程度にまで低下する。符号４７は石壁室４０への出入口、４８は作業用出入口である。
【００２５】
図１及び図５に図示するように、前記石壁室４０の底面部４６の下部に伝熱室８０が形成されている。伝熱室８０は、図示するように、全身浴部８１とシャワー室８２とを備えている。この伝熱室８０は、高さを約３．７ｍとした。符号８４は伝熱室８０への出入口、８５は機械室、８８は機械室への出入口、９０はボイラー室である。
【００２６】
全身浴部８１は、公知の岩盤浴ベッドによって構成される。全身浴部８１は、人が横たわることができる大きさとし、遠赤外線を放出する天然石を敷き詰めている。この全身浴部８１は、天然石から放出される遠赤外線によって全身の発汗を促す。ここでは、全身浴部８１の大きさを、縦２．０ｍ、横０．８ｍとした。
【００２７】
伝熱室８０は、図６に図示し請求項３の発明として規定したように、底面部８６を加熱する加熱媒体の配管８７が敷設されている。ここでは、加熱媒体の配管８７が、図示するように、所定の間隔を置いて同周円状に敷設される。配管８７はボイラー室９０と接続され、ボイラー９１で加熱された熱湯が該配管８７に適宜供給される。底面部８６は天然石材によって構成される。この底面部８６は、配管８７を循環する温水によって温められて遠赤外線を放出するとともに岩盤浴に最適な温度（４３℃ないし４５℃）に保たれる。
【００２８】
この配管８７は、図示するように、２系統（Ｃ系統とＤ系統）敷設されている。Ｃ系統の配管８７Ｃ及びＤ系統の配管８７Ｄは、全身浴部８１の下方を通過するように敷設される。全身浴部８１は、温水が配管８７を流通して循環することによって遠赤外線を放出する。
【００２９】
加熱媒体の配管８７は、図７に図示し請求項４の発明として規定したように、前記石壁室４０の底面部４６の冷却媒体の配管７０と循環配置されている。ここでは、冷却媒体の配管７０が加熱媒体の配管８７と連結され、冷却水あるいは温水が冷却媒体の配管７０と加熱媒体の配管８７とを循環する。
【００３０】
冷却水は、前記配管７０によって流通し前記石壁室４０の底面部４６を冷却する。この冷却水は、石壁室４０から熱を奪い温度が上昇して温水となって加熱媒体の配管８７を流通する。
【００３１】
温水の温度は、温度センサＳ１の検出温度により三方弁Ｖ５を開閉して適温に保たれる。この温水の温度が所定の値よりも低いときは、ボイラー９１によって加熱された熱湯が、送出管９５によって前記配管８７に供給される。符号Ｌ１は温度信号の伝送線である。
【００３２】
供給が過剰となった温水は、逃がし弁Ｖ６を開放してタンクＴに供給される。タンクＴは、温水を貯水するとともに循環ポンプＰ２によってボイラー９１に供給する。符号９６はタンクＴへの給水管、９７はボイラー９１への送水管、９８はオーバーフロー管である。
【００３３】
加熱媒体の配管８７を流通した温水は、循環ポンプＰ１によって冷却媒体の配管７０に供給される。その際に温水の温度が、温度センサＳ２によって検出される。温水の温度は、温度センサＳ２の検出温度により三方弁Ｖ７を開閉して適温に下げられる。温水の温度が所定の値よりも高いときは、冷却水が、三方弁Ｖ７を開放して前記配管７０に供給される。このようにして、温水（加熱媒体）と冷却水（冷却媒体）を循環させて効果的な温度調整を行うことができる。符号７１は冷却水の供給配管、Ｌ２は温度信号の伝送線である。
【図面の簡単な説明】
【００３４】
【図１】この発明の一実施例に係る岩風呂装置の概略縦断面図である。
【図２】ドーム状の天井部の部分拡大断面図である。
【図３】同岩風呂装置の石壁室への蒸気供給回路の主要構成図である。
【図４】同岩風呂装置の石壁室の概略横断面図である。
【図５】同岩風呂装置の伝熱室の概略横断面図である。
【図６】伝熱室の底面部を加熱する加熱媒体の配管敷設図である。
【図７】冷却媒体及び加熱媒体の循環系統説明図である。
【符号の説明】
【００３５】
１０  岩風呂装置
２０  筒状の壁部
３０  ドーム状の天井部
４０  石壁室
４１  天然石材
４６  石壁室の底面部
５０  ガスバーナー
６０Ａ，６０Ｂ，６０Ｃ  蒸気散布ノズル
７０  冷却媒体の配管
８０  伝熱室
８６  伝熱室の底面部
８７  加熱媒体の配管
Ｇ  加熱ガス
【図１】
2006110236.tif 000003
【図２】
2006110236.tif 000004
【図３】
2006110236.tif 000005
【図４】
2006110236.tif 000006
【図５】
2006110236.tif 000007
【図６】
2006110236.tif 000008
【図７】
2006110236.tif 000009